(57)【要約】【課題】排泄の都度後始末をする手間がかからず、また、狭いトイレ室内において、人間とペット間のトイレの切り替え操作がスムーズにいくように、使い勝手を良くし、更に、動物の本能をも満足させることができ、いざという時の健康管理の為に排泄物の採取も可能にし、衛生的かつ経済的であって、動物の種類を選ばずに使用可能なペット用トイレにする為に、水洗トイレを形成する便座の上もしくは便器の上に載置できるペット用トイレを提供する。【解決手段】水洗トイレを構成する便座の上もしくは便器の上に載置するトイレ本体であって、排水槽に開口する排出口に向かって緩やかに下降する傾斜板に、側壁を連接し、該側壁から延出する縁部を、前記便座の上もしくは便器の上に係止するとともに、俯仰自在に支持固定し、更にトイレ本体の傾斜板、縁部、側壁等に排泄物採取用具、爪研ぎ、水洗水導入弁等各種付属品を着脱自在に形成する。【選択図】図１
2004081223.tif 000002
【特許請求の範囲】
【請求項１】
　水洗トイレを構成する便座の上もしくは便器の上に載置するトイレ本体であって、排水槽に開口する排出口に向かって緩やかに下降する傾斜板に、側壁を連接し、該側壁から延出する縁部を、前記便座の上もしくは便器の上に係止するとともに、俯仰自在に支持固定されてあることを特徴とするペット用トイレ。
【請求項２】
　トイレ本体の傾斜板、縁部、側壁等に排泄物採取用具、爪研ぎ、水洗水導入弁等各種付属品を着脱自在に形成することを特徴とする請求項１記載のペット用トイレ。
【発明の詳細な説明】
【技術分野】
【０００１】
　本発明は、ペットが排泄する都度後始末をしなくても、排泄物が直接人間用の水洗トイレ内排水槽に排出されるように、水洗トイレを構成する便座の上もしくは便器の上に載置し、その上にペットが乗って排泄することを可能にするペット用トイレに関するものである。
【背景技術】
【０００２】
　人間用の水洗トイレの上に乗って排泄をする猫が、多くの飼い主達を羨ましがらせている。レッスン用のビデオまで販売されているが、ただでさえ芸を教え込むのが困難な猫に、大きく抉れた形状をしている水洗トイレを前に、そこまでの躾をするのは至難の業であり、これを可能にすべく人間用の水洗トイレの上に載置することで、その上にペットが乗って排泄できるように工夫されたペット用のトイレの発明も散見される。特許文献としては以下のようなものが挙げられる。
【特許文献１】特許公開２０００−１８８９８８
【特許文献２】実用新案公開平６−４６４５４
【特許文献３】実用新案公開平６−２４４５７　特許文献１は、枠体上面に、普段閉状態にあり、操作手段により開閉可能であり、開状態で排便が排出可能である便器トイレを取り付け、該便器トイレ下部に排便受けを備え、また、排便受けには排水口や入水口を繋ぐペット用トイレであり、特許文献２は、家屋の便器内に嵌合する枠体と、該枠体の底部に設けた多数の小孔を有する通水板と、枠体の上部から外側方に突出して、前記便器の上縁部に係合可能の係止部とを設けるペット用トイレであり、特許文献３は、洋式便器の上面に載置しうる大きさの少なくとも前面の開いた箱状体の底板を好ましくは網状に構成し、側板及び天板がヒンジを介して開閉式に構成されるペット用トイレである。　尚、上記以外にも、以下のような特許文献がある。
【特許文献４】実用新案公開平６−５５３４５
【特許文献５】実用新案公開平７−３５５８４
【特許文献６】登録実用新案第３０１４５５０
【特許文献７】登録実用新案第３００２２５８
【特許文献８】実用新案公開平６−５０４５４
【特許文献９】特許公開平１０−２４３７５４
【特許文献１０】特許公開２００２−２１８８５８
【発明の開示】
【発明が解決しようとする課題】
【０００３】
　しかし、それらは多くが底板が水平に形成されている他、特許文献２においては、通水板の四方を枠体が囲んでいる為、便の場合はペット用トイレ内に残されるのは従来同様で、これまで通り人間が始末しなければならない。特許文献１及び特許文献３においては、ペット用のトイレを載置したまま人間が使用することも可能としているが、物理的には可能であっても精神的には抵抗があるという人が多く、まして来客に勧められるものではない。従って人間が使用する際には取り外すことになるが、一般的にトイレ室内は狭く、置き場所がない場合は、その都度トイレ室外に置かなければならないことになる。更に、この特許文献１においては、排泄物や猫砂を捨てる際に底板をペダル操作もしくはレバー操作によって手前に引き開ける観音開き型のペット用トイレであるが、水洗トイレ上で底板が山を作りながら開口することになる為、便等は斜面を転がってペット用トイレ両脇に取り残され、また、開閉する弾みで中に納められた猫砂が枠体から飛び出して周囲に散らばってトイレ室内を汚すことになり、ペダル操作やレバー操作に要する製造コストも高くなる。排水槽側に押し開けることも可能であろうが、排泄物だけでなく、中に納められた猫砂の全てが排便受けを経て一挙に排出されることになり、汲み取り式ではそれ程問題とはならないものの、水溶性パルプの猫砂でさえ少量ずつ流さなければならない水洗式では、パイプを詰まられるという問題を抱えることになる。また、特許文献３においては、網状の底板に観音開き型の天板を有するペット用トイレであるが、構成要素として必須ではない天板を設けることによって却って大がかりなものになるとともに製造コストも高くなり、それだけに狭いトイレ室内において、人間とペットの双方が使用するには使い勝手が悪い。この使い勝手という点については、特許文献４、特許文献５においてもあまり考慮されていない。更に水洗トイレを使用できるようにする為の訓練用具である特許文献６は、そのまま水洗トイレに取り付けることも可能としているが、便座と同型である為、その意義は低い。その他、訓練用具や躾器には特許文献７、特許文献８、特許文献９等がある。また、傾斜板を使用したペット用トイレには、特許文献１０等があるが、水洗トイレの上に載置することを想定していない。
　これら猫や犬を初めとするペットの排泄物を放置すれば室内に臭気が漂う為、排泄をする都度後始末をしなくてはならないが、尿の場合など往々にして放置されがちである。殊に、猫がトイレで使用する砂利状の固形物である猫砂には水溶性パルプ製、可燃性パルプ製、ベントナイト製、木製、シリカゲル製、おからを主成分とするもの等多種に亘り、どれも尿等の水分によって固まるが、団塊化が安定するまで時間を要する為、片付けたくても放置せざるを得ず、また、団塊化後も、水分を少ししか吸収しなかった外周部は塊から脱落し、専用のシャベルやトングでは取り除ききれずに、尿を吸収した猫砂が常にトイレの中に残存することになる。これらが臭気の元になるとともに、黴菌が繁殖しやすい環境をつくり、猫砂を直接四肢で踏んで用を足さなければならない猫にとっては、極めて非衛生的であったが、排泄後に砂掛け行動をする猫を初めとする動物の本能を理由に、トイレの様式が改変されることはなかった。また、近年、硅素製や撥水加工を施したもの等、団塊化しない猫砂も出回っているが、排泄後の砂掛け行動によって、猫砂が散らばり室内を汚してしまうことに変わりはない。
　本発明が解決しようとする課題は、便がペット用トイレ内に残され、排泄の都度後始末をする手間がかかる点であること、また、狭いトイレ室内において、人間とペット間のトイレの切り替え操作がスムーズにいかず、使い勝手が悪い点であり、更に、動物の本能をも満足させることができ、いざという時の健康管理の為に排泄物の採取も可能にし、衛生的かつ経済的であって、動物の種類を選ばずに使用可能なペット用トイレにする為に、家族の一員であるペットもまた人間の使用する水洗トイレに乗って用を足せるように、水洗トイレを構成する便座の上もしくは便器の上に載置できるペット用トイレを提供することである。
【課題を解決するための手段】
【０００４】
　発明の第一は、水洗トイレを構成する便座の上もしくは便器の上に載置するトイレ本体であって、排水槽に開口する排出口に向かって緩やかに下降する傾斜板に、側壁を連接し、該側壁から延出する縁部を、前記便座の上もしくは便器の上に係止するとともに、俯仰自在に支持固定されてあることを特徴とするペット用トイレである。
【０００５】
　発明の第二は、トイレ本体の傾斜板、縁部、側壁等に排泄物採取用具、爪研ぎ、水洗水導入弁等各種付属品を着脱自在に形成することを特徴とするペット用トイレである。
【発明の効果】
【０００６】
　本発明のペット用トイレは、水洗トイレを構成する便座の上もしくは便器の上に載置するトイレ本体であって、排水槽に開口する排出口に向かって緩やかに下降する傾斜板に、側壁を連接し、該側壁から延出する縁部を、前記便座の上もしくは便器の上に係止するとともに、俯仰自在に支持固定し、更にトイレ本体の傾斜板、縁部、側壁等に排泄物採取用具、爪研ぎ、水洗水導入弁等各種付属品を着脱自在に形成することで、以下のような利点がある。
１．トイレ本体の底板が緩やかではあるが傾斜している為、排泄物が直接水洗トイレ内の排水槽に落下する構造になっており、ペットが排泄する都度後始末をしなくても済む。
２．排水槽に落下したペットの排泄物は、ついでの時に飼い主が水を流すだけで後始末ができる為、簡便である。
３．排泄物が直接水洗トイレ内の排水槽に落下する為、排泄物の臭気が希釈される。
４．排泄物が直接水洗トイレ内の排水槽に落下する為、トイレ本体内に排泄物を放置することがなく、従来型のように時間経過にともなって繁殖した黴菌が、ペットの手足を経由して体内に取り込まれることを防止する。
５．猫砂を使用しない為、ペットが手足を舐めることによって、ペーパーサンド等に使用してある接着剤等の化学薬品等を体内に摂取することがない。
６．猫砂がトイレ本体外に散って室内を汚すことがない。
７．猫用の猫砂や犬用のシーツを使用しない為、経済的である。
８．猫用の猫砂や犬用のシーツを使用しない為、資源を無駄にせず環境に優しい。
９．人間用の水洗トイレの上に載置する為、人の目から隠せる。
１０．水溶性パルプ製等の爪研ぎを設置することによって猫の本能を充たすとともに、猫の爪研ぎによって発生するカスもトイレ内に落下する為、掃除の手間が省ける。
１１．採尿用具、採便用具等、着脱自在の排泄物採取用具を取り付けることによって、ペットの健康管理がし易くなる。
１２．水洗水導入弁を取り付けることによって、タンクから流れ出る水洗水を導き入れ、トイレ本体上を水洗することも可能となって、排泄物が接触する傾斜板も衛生を保てる。
１３．ペットの種類によって、或いは、ペットの健康状態によって、必要な付属品を必要な時に着脱可能であり、適応性が高い。
１４．トイレ本体そのものを俯仰可能に形成することで、トイレ室内の面積に関わらず設置でき、使い勝手が良くなる。
１５．受け皿や屋根カバーを設けることによって、従来型のペット用トイレとしても使用可能である。
【発明を実施するための最良の形態】
【０００７】
　水洗トイレを構成する便座の上もしくは便器の上に載置するトイレ本体であって、排水槽に開口する排出口に向かって緩やかに下降する傾斜板に、側壁を連接し、該側壁から延出する縁部を、前記便座の上もしくは便器の上に係止するとともに、俯仰自在に支持固定し、更にトイレ本体の傾斜板、縁部、側壁等に排泄物採取用具、爪研ぎ、水洗水導入弁等各種付属品を着脱自在に形成する。
【実施例１】
【０００８】
　本発明の実施例１を図を参照にして以下に説明する。図１及び図２は、水洗トイレを構成する便座９ｃの上もしくは便器９の上に載置するトイレ本体１であって、排水槽９ｆに開口する排出口１ｆに向かって緩やかに下降する傾斜板１ａに、側壁１ｄを連接し、該側壁１ｄから延出する縁部１ｅを、前記便座９ｃの上もしくは便器９の上に係止するとともに、俯仰自在に支持固定されてあることを特徴とするペット用トイレの内、ジョイント８を介して水洗トイレに連結し、便器９の上に載置する後付け型のトイレ本体１を示すものである。
【０００９】
　ステンレス、スチール、銅等の金属、ポリプロピレン、ＦＲＰ、強化プラスチック、再生プラスチック等の樹脂、セラミック等の陶磁器等、各種部材によって、小型から中型程度のペット一匹を充分に支え得る耐荷重を有する平板、Ｖ型板、Ｕ型板、表面に凹凸等を有する凹凸板等の止水板、もしくは、メッシュ板、パンチング板等通水可能な小穴を多数有する通水板等各種傾斜板１ａを、楕円形、卵形、樽型、矩形等便座９ｃもしくは便器９の内法に納まり、便器９内に嵌合し得る大きさに形成し、両側に連接する側壁１ｄの前部を短く、後部を長くすることによって、底板を緩やかに下降する傾斜板１ａとし、必要に応じて前部にも側壁１ｄを設けるとともに、後部を排水槽９ｆに開口させて排出口１ｆとし、該側壁１ｄから外側へ向けて縁部１ｅを延出させて周囲の必要箇所に連接し、トイレ本体１とする。傾斜板１ａの前部は側壁１ｄを設けずに、傾斜板１ａから直接縁部１ｅを連接しても良く、また、後述するように、後部のように開口し、水洗水導入弁１ｈを取り付けることで、水洗水を導き入れ、トイレ本体１上を水洗することも可能となるが、その場合にも、傾斜板１ａの傾斜が損なわれないように、側壁１ｄの前部の長さは後部の長さよりも短く形成するものとする。
【００１０】
　トイレ本体１を既設の洋式トイレに俯仰可能に連結する場合、回転軸８ａや挿通孔８ｃ等ジョイント８の一方を側部や前部の縁部１ｅの外周、縁部１ｅ外側の直下や直上等に設け、ジョイント８のもう一方を有するフック７ａ、締め付け具８ｊ等の各種連結具をトイレ本体１同様、金属、樹脂等各種部材によって形成し、便器側壁９ａの側部や前部の平面部を選んで取り付け、両者を連結する他、双方ともに挿通孔８ｃを形成し、ボルト８ｆとナット８ｇ、或いは、かんぬきを挿通する等して連結する。また、トイレ本体を樹脂等軽い部材で形成する場合は、背部にジョイントの一方を有する吸着盤を、洋式トイレの便器側壁の外側面に吸着させて、もう一方を有するトイレ本体の縁部と連結したり、或いは、便座カバーに孔を縫製したり、管やＯリング等を縫いつけて挿通孔とするか、便座カバーの側部や前部に軸カバーを延出縫製し、回転軸の周囲をくるむとともにボタンやファスナーテープ等で固定する等、連結の方法は既存の手段で様々に考えられる為、俯仰の形態、構造、形成方法等は何ら限定するものではない。
【００１１】
　図３（ａ）は、縁部１ｅの側部の外周に形成する回転軸８ａの両端に各々フック型挿通孔８ｄの挿通孔８ｃを挿通し、フック７ａを便器側壁９ａに嵌合して固定し、図１及び図２に示すように、既設の洋式トイレに連結して、トイレ本体１を横方向に俯仰するものである。図３（ａ）では、回転軸８ａの中央を縁部１ｅと連接させて、両端からフック型挿通孔８ｄ２個を挿通しているが、回転軸の片端のみを縁部と連接させて、開口している片端からフック型挿通孔１個を挿通し、必要に応じて回転軸末端を封じて脱落防止を図る等して、既設の洋式トイレに連結することも可能であり、挿通孔が１個の為便器側壁の湾曲形状の影響を受けにくい。図３（ｂ）は、縁部１ｅの前部の外周に形成する挿通孔８ｃの両端から各々フック型回転軸８ｅの回転軸８ａを挿通し、フック７ａを便器側壁９ａに嵌合して固定し、既設の洋式トイレに連結し、トイレ本体１を前方に俯仰するものである。また、縁部の挿通孔の両側に各々フック型挿通孔の挿通孔を並列させ、フックを便器側壁に嵌合して固定し、ボルトを挿通してナットで封じることも可能である。
【００１２】
　フック型のジョイント８は便器側壁９ａの側部の平面部、場合によっては前部中央の平面部を選んで取り付けるものとするが、便座９ｃの形状とは関わらず、便器９にもＯ型、Ｕ型及びその中間型等がある為、前部では中央で良いが、側部では平面部が出現する最頻値の位置を選び、トイレ本体１のジョイント８もその位置に合わせて縁部１ｅに形成するか、または、予め便器９の形状別に連結部位を変えてトイレ本体１を形成することも可能である。また、便器側壁９ａの最頂部は便座９ｃを受ける部位であるとともに、水洗水を導入する水路を設ける部位でもある為、国内産では最頂部からほぼ３０〜５５ｍｍ前後程度の長さに亘って壁厚が３５〜５０ｍｍ前後程度に厚く形成されてヘッド９ｋをなしており、該ヘッド９ｋの形状はメーカーや型番によって異なる為、最頻値を中心にフックの内法をサイズ別に数種類程度用意することも可能である。更に、フック７ａ内部の便器側壁９ａに接触する側には必要に応じて樹脂、ゴム、エラストマー、フエルト等の各種部材からなるクッションを適宜あてがうことで、微妙な調節が可能になり、便器側壁９ａの湾曲形状にも対応し易くなる。該クッションは水に濡れる便器側壁９ａ内側にあてがう場合は樹脂製等に、水に濡れない便器側壁９ａ外側にあてがう場合はフエルト等にしたり、或いは、これらの違う部材を一体化して一つのクッションとしたり、また、内外に対応できるようにゴム製等にすることも可能である。予め、便器側壁９ａの湾曲形状の影響を受けないよう、構造を弱くしない程度に、フック７ａの幅をジョイント８部分の幅よりも狭めることも可能であり、更に、フック型挿通孔８ｄの場合は、フック７ａとジョイント８の連接部を各々並列する二個のフック型挿通孔８ｄの内側寄りに、フック型回転軸８ｅの場合は各々並列する二個のフック型回転軸８ｅの外側寄りに形成することで、連接されていない反対側末端部が便器側壁９ａに拘束されなくなる分、若干融通が利くようになる。縁部１ｅの側部にジョイント８を形成する場合は、縁部１ｅの左右両側に形成しておくことで、洋式トイレの向きや利き手の相違にも対応可能となる。人間が使用する際には、従来の蓋９ｂや便座９ｃとは反対の前方、または横方向にトイレ本体１を俯仰させ、便座を下ろして使用し、使用後に便座を上げて、使用後にペットがいつでも使用できるようにトイレ本体１を元に戻しておく。図３記載のジョイント８は俯仰方法を示す例であって、側部や前部の縁部１ｅの外周、縁部１ｅ外側の直下や直上等、取り付け可能であればその形成位置は限定されず、また、俯仰可能であればそのジョイント８の形状も限定されず、更に形成位置とジョイント８の形状との各種組み合わせもまた限定されない。
【００１３】
　更に、締め付け具型挿通孔８ｉ、締め付け具型回転軸等、前出フック型のジョイント８に締め付け具８ｊを加えて形成することで、便器側壁９ａの湾曲形状、及び、メーカーごと、型番ごとに微妙に異なる便器側壁９ａの壁厚により対応し易くなる。締め付け具型連結具のフック７ａ内部は、ヘッド９ｋの壁厚の最大値が納まり、かつ締め付け具の内輪８ｋが納まる内法を必要とするが、最頻値及び最大値に合わせて２、３種類程度用意することも可能である。また、締め付け具型連結具のフック７ａの長さは、どのタイプの水洗トイレにも連結され得るように、ヘッド９ｋの長さが小さいタイプのものを基準として形成し、締め付け具８ｊの頭が、締め付け具８ｊの挿通孔８ｃ上で留まることがないように、頭を小さくし、手動のみでなく、十や−の溝を刻み、ドライバー等でも締め付けられるようにしておくと良い。図３（ｃ）は、縁部１ｅの側部の外周に形成する回転軸８ａの両端に各々締め付け具型挿通孔８ｉの挿通孔８ｃを挿通するとともに便器側壁９ａに嵌合して、締め付け具８ｊを締め付け、既設の洋式トイレに連結して、トイレ本体１を横方向に俯仰するものである。予め、補助板８ｈを用意し、両端もしくは片端を短手方向に数ｍｍ程度突出させてＬ字型に形成し、便器側壁９ａ外側面にあてがいつつ、２個の締め付け具型挿通孔８ｉ内に橋渡しすることで、便器側壁９ａの湾曲部に下駄を履かせる要領で壁厚の補正が可能になり、湾曲形状の便器側壁９ａ外面上においても平行を保ち、固定し易くなる。また、便器側壁９ａのヘッド９ｋの壁厚は均等であるものが多いが、上方より下方が厚くなっているもの等もあるので、補助板８ｈの片端を長手方向に数ｍｍ程度突出させてＬ字型に形成し、突出部を上にする等して便器側壁９ａ内側面にあてがうことで、同様の補正が可能になる等、補助板８ｈの形状も様々に考えられる。また、締め付け具８ｊや補助板８ｈの便器側壁９ａに接触する側には必要に応じて樹脂、ゴム、エラストマー、フエルト等の各種部材からなるクッションをあてがうことで、更に柔軟な連結が可能となる。便器側壁９ａに安定的に固定する為に、押圧する締め付け具８ｊの内輪８ｋは、連結具内の天井までに納まり、並列するもう一個の締め付け具８ｊの内輪８ｋに重ならない範囲で、連結具自体の幅をはみ出して大きく形成することもできる。締め付け具型回転軸等を形成し、前項同様に、縁部の挿通孔と連結することも可能である。これら連結具型のジョイントは連結具とジョイント部の結合部分の形状如何で便器９の上に固定しても、便器９の上だけでなく、便座９ｃの上にトイレ本体１を載置することも可能であり、連結方法は既存の手段で様々に考えられる為、その形態、構造、形成方法等は何ら限定するものではない。
【００１４】
　図８は傾斜板１ａの相違による各種ペット用トイレを示す図であって、傾斜板１ａが、図８（ａ）は平板、図８（ｂ）は通水板、図８（ｃ）はＶ型板からなるトイレ本体１を示すものである。傾斜板１ａに使用する平板、凹凸板、通水板等の傾斜角度は様々に形成可能であるが、便器９内底部や排水槽９ｆ内の水溜に触れない程度、また、ペットが底板に降りた時にも違和感なく踏み留まっていられる程度緩やかに下降させるとともに、便が転がり得るだけの傾斜を確保する為に、好ましくは２０度前後程度以内に形成して、排水槽９ｆに向かって緩やかに下降するものとし、後述する各種付属品の着脱を可能に形成する。Ｖ型板、Ｕ型板及びその中間型等では、同様の下降を形成するとともに、傾斜板１ａの中央部に、前部から後部にかけて縦方向の谷が形成されるようにＶ型、Ｕ型及びその中間型等に緩やかに凹ませて排出口１ｆに尿を導く集水溝１ｃとするか、或いは、傾斜板１ａの両側に谷が形成されるように各々を逆さまにした形状に緩やかに突出させて排出口１ｆに尿を導く集水溝１ｃとし、集水溝１ｃ末端部に採尿管用ネジ穴６ｃを空けて採尿管６ｂを装着する等、各種付属品の着脱を可能に形成するものである。谷の下降線は傾斜板１ａの下降線と直角をなすが、元々底板が傾斜しているところに更に谷を形成すると急な印象を受ける為、谷の傾斜角度は、採尿管６ｂ直前で尿が合流する程度ゆるやかに、好ましくは１５度前後以内に形成する。更に、Ｖ型板、Ｕ型板及びその中間型等には、通水穴１ｂを形成してＶ型通水板としたり、或いは、凹凸を形成することも可能である。凹凸板に通水穴１ｂを形成することも可能である。各種傾斜板１ａに通水穴１ｂや凹凸を形成する場合には、傾斜板１ａ全体に形成することは勿論、必要箇所に部分的に形成しても良い。
【００１５】
　また、図８では縁部１ｅが周囲全てに形成されているが、周囲の必要箇所に形成しても良く、図１９は縁部１ｅの相違による各種ペット用トイレを示すものである。図１９（ａ）は両側から前部にかけて、図１９（ｃ）は両側のみからなるトイレ本体１等、便器９の形状、便座９ｃ及び上置き操作盤等の形状別に形成することも可能である。図１９（ｂ）は図１９（ａ）に水洗水導入口１iを形成している。昨今の水洗トイレの多機能化に伴い、便器上に便座とともに大型の上置き操作盤が設けられているタイプのものでは、後部に縁部１ｅを形成するとトイレ本体１を便器の上に載置することができなくなる為、図１９（ａ）に示すように後部を形成しない。同様に図１９（ｂ）示すように、前部にも縁部１ｅを形成しないことも可能である。図１９記載のトイレ本体１は、縁部１ｅの形状を示す例であって、その形成位置は限定されず、更に、その形成位置と傾斜板１ａの種類との各種組み合わせもまた限定されない。尚、図７は、通水板からなるトイレ本体１を水洗トイレの便器９の上に係止している所を示す断面図であり、図８（ａ）のＡ−Ａ’は、後述する図１２〜図１７のＡ−Ａ’断面を示すものである。
【００１６】
　尿や便が直接接触する傾斜板１ａの表面のみならず、汚水に接触する裏面を含めて、排泄物を付着しにくくするフッ素や、紫外線によって汚れを分解する酸化チタン等の光触媒を初めとする各種触媒、その他各種汚れ防止剤等を塗布しておくと水はけも良く、更に衛生的である。また、傾斜板１ａの前部に側壁１ｄを連接形成せずに開口させ、更に樹脂、ゴム、エラストマー、シリコン等各種部材からなる水洗水導入弁１ｈを必要に応じて着脱可能に形成することで、図１８に示すように、トイレ本体１ａ上に水洗水を導き入れることが可能となる。図１８（ａ）に示すキャップ型の水洗水導入弁１ｈでは、傾斜板１ａの前部を開口部より突出させて、水洗水導入弁用突出部１ｇを形成し、キャップ状の水洗水導入弁１ｈを嵌め込むものであり、傾斜板を突出させることなく、傾斜板の両端に切り込みを入れて嵌め込むこともできる他、キャップ型にせずに、傾斜板の両端に穴を空け、水洗水導入弁の裏面にフックやヒール等を設けて固定することも可能である。装着後には水洗水を導き入れる水路となるように、水洗水導入弁１ｈを便器９内面のヘッド９ｋ下に沿わせて設置する。また、１８（ｂ）に示す半転型では、水洗水導入弁１ｈが上下に半転するように内部に回転軸を挿通するとともに、背部にフック７ａ等を設けて便器側壁９ａに嵌合するものである。取り付け時には、水洗水を導き入れる水路となるように、水洗水導入弁１ｈをトイレ本体の上に乗せかけておくが、トイレ本体１を俯仰する動作によって、自動的に水洗水導入弁１ｈが上へ半転する。フック７ａは、前出同様サイズ別に数種類用意し、クッションを適宜あてがって調節したり、締め付け具を設けて形成することも可能であるが、水洗水導入弁１ｈは軽量である為、フック部を屈曲自在型のアルミニウムやスチール等の可塑性のある金属等の部材で形成すると各々のトイレ側壁９ａのヘッド９ｋの幅や長さに合わせて各自で調節できるようになる。但し、トイレ本体１のジョイント８が前部に形成してある場合は、該ジョイント８の両側に取り付ける。水洗水導入弁１ｈは軟質性の樹脂、ゴム、エラストマー、シリコン等の部材で形成すれば、殊に半転型においては、便座９ｃを下ろしても屈曲変形して便座９ｃ下の納まり、人間が使用する際にも邪魔になることはないが、折り癖が懸念される場合には、各々の便器９の形状に合わせて鋏等で切って形を整えることも可能である。
【００１７】
　但し、人間が座る便座９ｃの上がペットの排泄物で汚れることのないように、縁部１ｅには通水穴１ｂを形成しない。トイレ本体１全体をメッシュ板、パンチング板等の通水板によって形成する場合は、別途便座９ｃの上や縁部１ｅの上に保護マットを敷いたり、縁部１ｅ全体を保護カバーで覆う等保護具を設けることが必要となる。
【実施例２】
【００１８】
　本発明の実施例２を図を参照にして以下に説明する。図４及び図５は、水洗トイレを構成する便座９ｃの上もしくは便器９の上に載置するトイレ本体１であって、排水槽９ｆに開口する排出口１ｆに向かって緩やかに下降する傾斜板１ａに、側壁１ｄを連接し、該側壁１ｄから延出する縁部１ｅを、前記便座９ｃの上もしくは便器９の上に係止するとともに、俯仰自在に支持固定されてあることを特徴とするペット用トイレの内、ジョイント８を介して水洗トイレと一体型に既製し、便座９ｃの上に載置する一体型のトイレ本体１を示すものである。
【００１９】
　洋式トイレの蓋や便座を固定している水洗トイレのジョイントにペット用トイレを組み込むことで、人間とペット共用の一体型トイレを形成することが可能となる。ジョイントが後部にある従来型の水洗トイレでは、排出口側の縁部の外周等に回転軸や挿通孔等ジョイントの一方を設け、洋式トイレの蓋や便座と同様に後方に俯仰することになる為、人間が使用する際に背中をもたれても汚れないように、別途保護カバー等の保護具が必要となる。
【００２０】
　そこで便座９ｃの上に縁部１ｅを係止する場合は、便座９ｃの側部や前部の外周、便座９ｃ外側の直下や直上等に新たに回転軸８ａや挿通孔８ｃ等ジョイント８の一方を設け、もう一方を有するトイレ本体１の縁部１ｅと連結することで、遠心側がトイレ室内の床や便器側壁９ａに行き当たるまで俯仰可能となり、背中をもたれることができる。ジョイント８は回転軸８ａと挿通孔８ｃの組み合わせによるものの他、双方ともに挿通孔８ｃを形成し、ボルト８ｆとナット８ｇ、或いは、かんぬきを挿通する等して連結することも可能である。
【００２１】
　図６（ａ）は、便座９ｃの前部の外周に形成する挿通孔８ｃを両側から挟み込むように、縁部１ｅの前部の外周に形成する２個の挿通孔８ｃを並列させ、ボルト８ｆを挿通してナット８ｇで封じることで、図４及び図５に示すように、既設の洋式トイレに連結して、トイレ本体１を前方に俯仰するものである。また、便座の挿通孔を２個、縁部の挿通孔を１個にして、ボルトとナットで固定することも可能である。図６（ｂ）は、縁部１ｅの側部の外周に二分割型回転軸８ｂを形成し、各々向かい合って突出するＬ字型の短軸を、便座９ｃの挿通孔８ｃの両側に挿通して連結するものである。また、便座を二分割型の回転軸、縁部を挿通孔１個にして形成することも可能である。人間が使用する際には、従来の蓋９ｂや便座９ｃとは反対の前方、または横方向にトイレ本体１を俯仰し、使用後にペットがいつでも使用できるようにトイレ本体１を元に戻しておく。図６記載のジョイント８は俯仰方法を示す例であって、トイレ本体１の縁部１ｅ及び水洗トイレの便座９ｃの側部や前部の外周、各々の外側の直下や直上等、取り付け可能あればその形成位置は限定されず、また、俯仰可能であればそのジョイント８の形状も限定されず、更に形成位置とジョイント８の形状との各種組み合わせもまた限定されない。
【００２２】
　便器の上もしくは便座の下に縁部を係止する一体型トイレを形成することも可能である。ジョイントが後部にある従来型の水洗トイレでは、ジョイントへの組み込み方によっては、人間が使用する際にペット用トイレの上から用を足すという不都合等が生じる為、ジョイントを便座や蓋とは別途設けることで、遠心側がトイレ室内の床や便器側壁に行き当たるまで俯仰可能となる。この場合、トイレの蓋を開け、便座を上げても尚、便器の上にジョイントが残されていることが要請される為、便器側壁の上面に台座を設け、該台座の後部のジョイントを水洗トイレに組み込み、側部や前部の外周、直下や直上等のジョイントにトイレ本体の縁部のジョイントを前項同様に連結する。台座は平らに形成する他、フック状に形成し、便器側壁に嵌合するように形成しても良い。人間が使用する際には、従来の蓋や便座とは反対の前方、または横方向にトイレ本体を俯仰させ、便座を下ろして使用し、使用後に便座を上げて、ペットがいつでも使用できるようにトイレ本体を元に戻しておく。尚、台座を設けて設置する方法は、和式水洗トイレにも応用可能である。
【００２３】
　俯仰可能に形成し、一体型にする為のジョイント８は使用に際して邪魔にならない位置であるならばどこに形成してもよく、トイレ室内が狭く、トイレ本体１を前方へ俯仰させるスペースがなく、縁部１ｅがトイレ室内の壁に行き当たって足元で邪魔になったりする場合等には、側部に設け、横方向に俯仰させる等、便器９周囲のいずれにでも設けることが可能である。トイレ室内が狭く、壁に縁部１ｅが行き当たっても、側部であれば足元で邪魔になることはない。一体型にして俯仰する必要がない場合は、ジョイント８を連結せずに取っ手として用い、分離型のトイレ本体として、水洗トイレを構成する便座の上もしくは便器の上に載置するだけでも使用可能である。
【００２４】
　経済的な事情やスペースの事情が許すなら、一体化せずに人間用の水洗トイレとペット用トイレを、各々別々に形成することも可能である。その場合は、ペット用トイレは段差や腰掛け分の高さを設けず、床に形成しても良い。人間用の水洗トイレと別個に形成する場合は、ペットの種類に限らず、動物の身体の大きさに合わせて人間用の水洗トイレより大きく形成することも小さく形成することも可能である為、そのサイズは問わない。
【実施例３】
【００２５】
　本発明の実施例３を図を参照にして以下に説明する。図９はトイレ本体１に受け皿２を取り付けている所を、また、図１０はトイレ本体１への屋根カバー３の取り付け構造を示す一例である。人間が使用する時や来客時の一時置き、或いは、接客が長時間に亘った場合にペットに粗相をされない為等、状況に応じて水洗トイレからペット用トイレを取り外しておけるように、受け皿２を設け、更に屋根カバー３を設けることで、従来型のペット用のトイレと同様の使用方法も可能となる。従来型のペット用トイレから本発明へ移行する場合の練習用としても使用できる。
【００２６】
　但し、受け皿２の側壁２ｂがトイレ本体１の排出口１ｆを塞ぐと、傾斜板１ａが通水板の場合は、尿は直ちに下へ落下し、止水板の場合は、受け皿２とトイレ本体１の間隙から徐々に下へ漏れ出し、双方ともに便は傾斜板１ａの下端に取り残されることになる。トイレ本体１を受け皿２上に設置する時にも排泄物が排出され得るようにするには、排出口１ｆと受け皿２の側壁２ｂとの間に排泄物が回収される容積が必要となる。図９に示すように、トイレ本体１の側壁１ｄの外法に沿わせて、受け皿２に内部の側壁２ｂを形成するとともに、少なくとも後部には傾斜板１ａを下降して排出口１ｆから出て来る排泄物の回収部２ｃを設けて、トイレ本体１をスッポリと納める。更に、トイレ本体１の側壁１ｄの最高部が納まる高さに縁置き部２ａが形成されるように、内部の側壁２ｂから外側へ向けて縁置き部２ａを延出させて周囲に連接し、トイレ本体１の縁部１ｅの外法に合わせて受け皿２に外部の側壁２ｂを張り巡らして、受け皿２を支持する。排泄物の回収部２ｃを設けることで却って納まりが悪く、受け皿２内で動いてずれる形状のトイレ本体１の場合は、適宜嵌め込み部等を形成するものとする。
【００２７】
　また、傾斜板の傾斜角度に合わせて受け皿の底板を斜めに底上げすると、トイレ本体を更に安定的に置くことが可能となり、通水板においても通水穴は塞がれ、尿は便と同様に傾斜板を下降して排出口を出て、回収部に回収されることになる。通水穴の僅かな段差に尿溜まりができることが懸念される場合には、底板表面に通水穴を塞ぐ凸部を形成することで平らに納めることも可能である。傾斜板を水平に設置できるように、縁置き部を傾斜させて形成しても良い。
【００２８】
　図１０は、受け皿２上のトイレ本体１に、屋根カバー３を取り付ける所を示すものであって、図１０（ａ）に示すように、受け皿２上のトイレ本体１ごと、上からスッポリと覆える屋根カバー３の両側に、トイレ本体１の回転軸８ａ等のジョイント８に嵌合する切り欠き部３ａを設け、更に、１０（ｂ）に示すように、切り欠き部３ａ末端に嵌合部３ｂを形成して組み込んだり、該屋根カバーを直接受け皿に組み込めるように、両者に凹凸部等を形成して嵌め込む等着脱自在に形成したり、ヒンジ構造にして背部で蝶着して、前後方向に開閉自在に形成することも可能であり、更に、該屋根カバーに底板や底箱を設け、前記同様両者に凹凸部等を形成して着脱自在に形成したり、ヒンジ構造にして開閉自在に形成して、受け皿上のトイレ本体ごと中に設置することも可能であり、トイレ本体１への屋根カバー３の組み込み方は、既存の手段で様々に考えられる為、その形態、構造、形成方法等は等は何ら限定するものではない。屋根カバー３はペット用トイレとして使用しない時には、座布団やクッション等を敷くことによって、ペット用のベッドとして使用することも可能となる。
【実施例４】
【００２９】
　本発明の実施例４を図を参照にして以下に説明する。図１１は、トイレ本体１の縁部１ｅの後部等に、爪研ぎ板４を取り付けているペット用トイレを示す一例である。
【００３０】
　排泄後に見られる猫の砂掛け行動は、本来、臭気を漂わせることによって敵に居場所を察知されないように隠す為の行為であり、天敵のいない室内飼いの猫等では、往々にして手を抜き、形骸化している様子も見られる。本発明では、排泄物が傾斜板１ａを下降して直接水洗トイレ内の排水槽に落下することで、ペットの視界から排泄物が消え、従来型に比較して、アンモニア等排泄物の臭気も希釈されることから、砂掛け行動の必然性も低下する為、排泄物を隠す為の猫砂は使用しないが、古来からの動物の本能を充たす為、砂掛け行動の代理行動として爪が研げるように、縁部１ｅの上等に爪研ぎを用意する。
【００３１】
　爪研ぎは、猫の本能を充たすとともに、きちんと爪が研げ、排水槽９ｆ内に不溶製の板カスが落ちないよう、金属、樹脂、陶磁器等各種部材によって、猫砂様の凹凸を初め、各種形状の起伏や陥没を有する板状に形成したり、繊維等によってループ状に形成するか、或いは、水洗可能な水溶性パルプ製の部材等によって同様の凹凸や起伏、陥没、ループ等を形成し、縁部１ｅの上等に設置して、トイレ本体１へ組み込む。
【００３２】
　図１１に示すように、縁部１ｅの後部等に大きさや形を合わせて形成する爪研ぎ板４に、きつめのフック７ａ等を設けて縁部１ｅに嵌め込んだり、双方にネジ穴を空けてネジで螺合して縁部１ｅの上に平置する他、後部の縁部の中央部等に穴を空け、縁部の裏から支柱を挿通し、該支柱に中央部が貫通している円筒型等の爪研ぎポールを挿通し、上からネジで螺合したり、支柱の末端部及び爪研ぎポールの末端部に各々螺合部を形成して螺合したり、或いは、フック部や螺合部を増やすことで壁状の爪研ぎを形成することも可能であり、トイレ本体１への爪研ぎの組み込み方は、既存の手段で様々に考えられる為、その形態、構造、形成方法等は何ら限定するものではない。爪研ぎポールでは、円筒形の他六面体等に形成し、爪研ぎ面を９０度ずつずらして固定し直すだけで、外周部の四面全てが爪研ぎ可能であり、横板状の爪研ぎ板４では表だけでなく、裏も爪研ぎ可能に形成することもできる。いずれの場合もトイレ本体１を俯仰することによって外れないように固定するものとする。但し、図１９に示すように、後部に縁部１ｅを設けないトイレ本体１の場合は、縁部１ｅ前部や側部等に取り付ける他、縁部１ｅの側部両側にフック止めやネジ止めすることで、水洗トイレの上置き操作盤等に斜めに立て掛けることも可能である。
【実施例５】
【００３３】
　本発明の実施例５を図を参照にして以下に説明する。図１２〜図１４は、トイレ本体１の傾斜板１ａ、縁部１ｅ、側壁１ｄ等への採便用具の取り付け構造を示すものである。
【００３４】
　本発明においては、トイレ本体１の底板が緩やかではあるものの傾斜している為、排泄物が直接水洗トイレ内の排水槽９ｆに落下する構造になっているので、健康管理上必要な便や尿の採取の為には、別途着脱自在の採便用具、採尿用具等の排泄物採取用具を用意する。図１２は便が排水槽９ｆへ落下しないように排出口１ｆを塞いで、傾斜板１ａの下端に便を残す為の採便板５ａを示すものであり、傾斜板１ａが、図１２（ａ）では止水板、図１２（ｂ）では通水板の場合を示す。図１２（ａ）に示すように、トイレ本体１の排出口１ｆ側の左右の側壁１ｄに、板一枚挿通可能な採便板用長穴５ｂを空け、採便板５ａを挿通すれば、後部の縁部の有無に関わらず取り付け可能である。採便板５ａには、短手方向を片側折り曲げてＬ字型やフック状に形成したり、凸部を設ける等して通り抜けないようにし、もう一方を挿通後にキャップを嵌めたり、押し込めば挿通する程度の突起５ｄを設ける等して、外れないように装着する。側壁１ｄがトイレ本体１の湾曲形状に合わせて曲がっている場合でも、採便板５ａの板厚に合わせて採便板用長穴５ｂを空けることは可能であるが、採便板５ａが挿通し易いように、挿通部のみ側壁１ｄ面を排出口１ｆに対して直角に形成しても良い。同様の仕掛けを通水板にも形成することが可能であるが、通水板の通水穴を利用したり、別途穴を空けて、フック掛けしたり、ネジで螺合したり、或いは図１２（ｂ）に示すように、採便板５ａに底部を設け、ヒール７ｄを設けて差し込んでも良く、逆に止水板の排出口側の両角等に穴を空けてフック掛けしたり、ネジで螺合したり、ヒールを差し込むことも可能である。更に、ヒール７ｄ周囲にゴムやエラストマー等の弾性部材を施すことによって、より安定的に組み込むことができる他、後部に縁部１ｅがある場合は、必要に応じて採便板５ａの上辺を外側に折り返して上部フック辺７ｂを形成したり、上辺を両端のみ折り返してフックにする等して、縁部１ｅに掛け止めても良い。傾斜板１ａがＶ型板、Ｕ型板及びその中間型の場合は、採便板５ａ下部に逆三角形や半円形等の隙間が空くことになるものの、集水溝１ｃを形成する傾斜が緩やかである為、僅かな隙間であり、便は傾斜板１ａ上に残り、寧ろ尿の廃棄に役立つことになるが、別途下端部がＶ型板、Ｕ型板及びその中間型等の採便板５ａを形成し、後部に縁部のある場合は、背部にフックを設けるとともに、縁部後部に穴を空けてフック掛けしたり、或いは、縁部後部に横長の採便板用長穴を設けて上部から板毎差し込んだりすることも可能であり、後部に縁部のない場合は、両端にフックを設けるとともに、縁部１ｅ側部に穴を空けてフック掛けしても良い。本発明を仔猫や仔犬、小型のペット等が使用する際には、採便板５ａで排出口１ｆを塞ぐことで、万が一にも排出口１ｆから滑落しないように予防することも可能となる。尚、図１２〜図１７のＡ−Ａ’断面は、排泄物採取用具の取り付け構造を可視化する為に、当該部位を覆う縁部１ｅの後部のみを断面にしており、図８（ａ）のＡ−Ａ’を断面にして示すものである。
【００３５】
　図１３〜図１４は便が傾斜板１ａの上に残ることなく回収される採便容器５ｃの例を示すものであって、図１３はトイレ本体１上面の傾斜板１ａ側から排出口１ｆに向けて嵌め込む内付け型の採便容器５ｃ、図１４は傾斜板１ａの排出口１ｆ側の両角等に空ける穴にフック７ａを係止する下垂型の採便容器５ｃを示す。図１３（ａ）〜図１３（ｂ）に示すように、内付け型では、トイレ本体１の傾斜板１ａの傾斜角度に合わせて底板を下降させたり、或いは、窪みを形成する等、排泄物の貯留部を有する採便容器５ｃであって、該採便容器５ｃの開口部左右両辺を外側に折り返してフック辺７ｂとし、採便容器５ｃをトイレ本体１の上面から排出口１ｆに嵌め込みながら、排出口１ｆ両端に設けるフック辺用長穴７ｃに係止し、後部に縁部１ｅがある場合は、必要に応じて採便容器５ｃの開口部上辺を外側に折り返して上部フック辺７ｂを形成したり、上辺を両端のみ折り返してフックにする等して、縁部１ｅに掛け止めても良い。或いは、止水板の排出口側の両角等に穴を空ける等して、採便容器の開口部下辺両端等に設けるフックやヒールを係止するとともに、前出上部フック辺や上部フックを係止しても良い。後部に縁部のない場合は、縁部側部の両隅等に穴を空ける等して、採便容器の開口部上辺両端等に設けるフックを係止するとともに、止水板の排出口側の両角等に穴を空ける等して、採便容器の開口部下辺両端等に設けるフックやヒールを係止することができる。図１４（ａ）〜図１４（ｂ）に示すように、下垂型では、トイレ本体１の傾斜板１ａの傾斜角度に合わせて上部開口部を斜めに切り欠いたり、或いは、Ｖ字型に形成する等、排泄物の貯留部を有する採便容器５ｃであって、該採便容器５ｃの開口部の左右両側中央部等にフック７ａを連接形成する等して、止水板の排出口１ｆ側の両角に空ける穴７ｅに係止しても良い。フック７ａの係止部を内側に向かい合わせれば、採便板用長穴５ｂ越しに掛け止めることができ、フック７ａの係止部を双方共に止水板側に向ければ、排出口１ｆ側から止水板に向けて掛け止めることも可能である。同様の仕掛けを通水板にも形成することが可能であるが、通水板の通水穴を利用したり、別途穴を空けて、フック掛けしたり、ネジで螺合したり、或いはヒールを突出させて差し込んでもよく、採便用具及びその係止具はトイレ本体１の形状によって既存の手段で様々に考えられる為、その形態、構造、形成方法等は何ら限定するものではない。採便板５ａも採便容器５ｃも通水穴１ｂ等を形成することで、尿を廃棄して、便だけを残することが可能となる。図１２〜図１６中の各種排泄物採取用具の内、通水穴１ｂを有するものが採便容器５ｃ、通水穴１ｂのないものが同型の採尿容器６ａである。また、後述する採尿トレー６ｆに通水穴１ｂを形成して採便トレーとすることも可能である。
【実施例６】
【００３６】
　本発明の実施例６を図を参照にして以下に説明する。図１５〜図１７は、トイレ本体１の傾斜板１ａ、縁部１ｅ、側壁１ｄ等への採尿用具の取り付け構造を示すものである。
【００３７】
　図１３〜図１４に示すように、採便容器５ｃに通水穴１ｂを設けずに形成することで採尿容器６ａとなる為、止水板の場合は同様の要領で取り付けることが可能になる。通水板の場合は、図１５（ａ）に示すように、通水穴１ｂから尿が落下しないように、採尿容器６ａの開口部下辺に止水部６ｇを連接して採尿トレー６ｆとし、該止水部６ｇの裏面に連結具を設け、通水穴１ｂの上面を塞ぎ、連接する採尿容器６ａに尿をためる。図１５（ａ）の採尿容器６ａは図１３と同型であるが、連接する止水部６ｇの裏面にフック７ａを形成し、トイレ本体１の通水穴１ｂを利用して係止する一例を示しており、フック辺用長穴７ｃは設けられていない為、その分横長に形成されている。トイレ本体１の前部が後部のように開口している場合は、傾斜板１ａの開口部末端にフック掛けすることも可能であり、その他、通水穴１ｂを利用したり、別途穴を開けて、ネジで螺合したり、ヒール７ｄを差し込んでも良い。図１５（ｂ）に示すように、止水部６ｇのみを形成し、図１３の採尿容器６ａをそのまま組み合わせる等、両者を別々に取り付けることも可能である。図１５に示すように、止水部６ｇは傾斜板１ａ面に全面的に取り付けることは勿論、通水穴１ｂを部分的に形成ている場合等には、必要に応じて小型に形成することも可能である。但し、その場合、殊に傾斜板上部において、止水部６ｇを取り付けている部分とそうでない部分の境が明らかな段差をつくることのないように薄く形成する。図１６（ａ）に示すように、係止具を設けずにトイレ本体１の下部に別途採尿トレー６ｆを受け皿として係止し、採尿することも可能であり、後部の縁部の有無に関わらず取り付け可能である。採尿トレー６ｆに採取した尿はスポイト等によって移し替えることもできるが、注ぎ口６ｈを設けておくと、容器に注ぎ込むことも可能となる。図１６（ｂ）に示すように、排泄物採取用のトレーは、トイレ本体１の直下に全面的に取り付けることは勿論、必要に応じて小型に形成することも可能である。図１６では双方ともに受け皿型の採尿トレー６ｆの底板を平らに形成しているが、傾斜板の傾斜角度に合わせて底板を下降させ、下端部に尿をためることも可能である。また、受け皿型の採尿トレーに通水穴を設けることで、採便トレーとして使用可能である。この場合は、採便トレーの側壁がトイレ本体の排出口を塞ぐと、便が傾斜板の下端に取り残されることになる為、傾斜板を下降して排出口１ｆから出て来る排泄物の回収部を、排出口１ｆと採便トレー側壁との間に設けると良い。図１６（ａ）中の格子線部分は、同型の採便トレー使用時に、トイレ本体１を組み込んだ時に回収部５fとなる部分である。
【００３８】
　図８（ｃ）に示すように、Ｖ型板、Ｕ型板及びその中間型等では、集水溝１ｃ末端部に採尿管用ネジ穴６ｃを形成し、該採尿管用ネジ穴６ｃに採尿管６ｂをトイレ本体１裏面から螺合することで採尿し、そのまま尿を移し替えることなく可搬可能となる。採尿後は、中栓６ｄ等で採尿管６ｂの口を塞いだ後、トイレ本体１を俯仰させる等して取り外し、必要に応じて更に蓋を螺合する。採尿管用ネジ穴６ｃは傾斜板１ａの裏方向に突出させて形成し、螺合部６ｅは低部の排出口１ｆ側の位置まで形成する。排出口１ｆ寄りは採尿管６ｂが傾斜板１ａから突出しても尿を堰き止める堰となって採尿に役立つが、前部寄りは盾となって採尿の邪魔になる為、螺合部末端に歯止めを設けて、少なくとも前部寄りが突出しないように形成すると良い。トイレ本体１の底板が緩やかではあるものの傾斜している為、余分な尿は採尿管６ｂ上を通過して排出口１ｆから廃棄され、尿が採尿管６ｂに回り込むこともないが、素手による着脱に抵抗がある場合には、嵌合型の採尿管とし、予め該採尿管の口部もしくは口部周辺部等少なくとも周囲の対角線上の二箇所にチェーンやワイヤー等からなるハーネスを取り付けておくことで、採尿後、ハーネス毎引き上げて取り外すことも可能となり、着脱の為にトイレ本体を俯仰させる手間も必要なくなる。採尿管が採尿管用の穴に埋もれないように採尿管の口部周囲に縁部を設ける場合は、傾斜板及び集水溝の傾斜形状に沿うように形成するか、或いは、傾斜板の嵌合部のみ平面に形成しても良い。縁部を形成する場合は、口部もしくは口部周辺部に直接ハーネスを取り付けておく他、該採尿管の口径に合わせて、リングや穴銭状の円盤を下から挿通し、採尿管の縁部直下に納めてから採尿管用の穴に嵌合し、採尿後、ハーネスを介してリングや円盤を引き上げることで採尿管を取り外すことも可能となる。この場合は、リングや円盤の厚みが傾斜板１ａから縁部をせり出させることのないように、採尿管用の穴の外周に溝を掘って収めると良い。また、リングや円盤とハーネスとの連結部が採尿管の縁部をまくれ上げることのないように、縁部に切り欠き入れたり、円盤の直径を縁部の直径よりも大きく形成しても良い。ハーネスの引き手部分は汚れないように、採便板用長穴やその他の穴等にチェーンを絡め止めた後に嵌合したり、ハーネス末端部にフックを設ける等してトイレ本体の縁部に掛け止めることも可能である。嵌合型の場合は、採尿管用の穴に螺合部を必要としないが、螺合型、嵌合型双方ともに利用できるようにする為に形成しておいても良い。また、柄の末端がフックになっている柄杓状の採尿管を掛け止めることも可能であり、採尿管と柄を着脱自在にしておくことで、可搬に際して柄が邪魔になることもなくなる。
【００３９】
　更に、図１７に示すように、通水板をＶ型に形成してＶ型通水板とし、集水溝１ｃ末端部に採尿管６ｂを嵌合する採尿管用嵌合穴６ｉを形成し、止水部６ｇもＶ型に形成してＶ型止水部６ｇとし、集水溝１ｃ末端部に採尿管６ｂを螺合する採尿管用ネジ穴６ｃを形成し、該Ｖ型止水部６ｇに採尿管６ｂを螺合するとともに、両者を重ね合わせて、Ｖ型通水板に採尿管６ｂを嵌合することもできる。止水部６ｇの裏面には、各種連結具を設けて通水穴１ｂの上面を塞ぎ、採尿管６ｂに尿をためる。採尿後は、中栓等で採尿管６ｂの口を塞いだ後、トイレ本体１を俯仰させる等して取り外し、必要に応じて更に蓋で螺合する。同様に、Ｖ型をＵ型及びその中間型等に変えて形成することも可能である。採尿用具及びその係止具はトイレ本体１の形状によって既存の手段で様々に考えられる為、その形態、構造、形成方法等は何ら限定するものではない。
【００４０】
　図９に示すように、トイレ本体１に受け皿２を取り付け、必要に応じてトイレ本体１に屋根カバー３を取り付け、従来型のペット用のトイレと同様に使用することで、採便、採尿をすることも可能である。トイレ本体１への採便用具及び採尿用具の組み込み方は、既存の手段で様々に考えられる為、その形態、構造、形成方法等は何ら限定するものではない。採便容器５ｃ及び採尿容器６ａは蓋や中栓６ｄ等設けることで、便や尿を移し替えることなく可搬可能となり、更に樹脂、シリコン等の安価な部材で形成することによって、獣医師に預けたまま回収する必要もなくなる。
【００４１】
　犬や仔猫用には別途水洗トイレの前に階段や台を設けても良い。
【００４２】
　本発明は、人間用の水洗トイレに載置するペット用トイレを形成する目的が果たされれは、ペット用トイレを形成する部材、傾斜板１ａ及び側壁１ｄの傾斜角度、傾斜板１ａの板厚、大きさ、形状、表面形状、通水穴１ｂの形状、大きさ、数、縁部１ｅの形状、大きさ、排出口１ｆの形状、大きさ等、その形態、構造、形成方法等は何ら限定するものではない。表面等への塗布剤については人畜無害であればその有無を問わない。耐荷重については、必要最低限度の荷重、即ち成猫一匹分の体重＋αを充分に支え得る耐荷重がクリアされればその上限は問わない。通常、成猫一匹７ｋｇ前後にはおさまるが、猫としては大型のラグドールでは１０ｋｇを超え、肥満の猫になると２０ｋｇを超える成猫もいることを考慮して形成する。傾斜板１ａの耐荷重は、ペットの体重によって選択できるように、軽いペット用、重いペット用等、数種類用意することで、体重が２〜３ｋｇ程度のペットから２０〜３０ｋｇ程度或いはそれ以上のペットまで幅を持たせることも可能となる。
【００４３】
　着脱可能な受け皿２、屋根カバー３、爪研ぎ板４、採便用具、採尿用具、俯仰用ジョイント８、水洗水導入弁１ｈ等各種付属品を形成する部材、形状、大きさ、板厚、軸径等、その形態、構造、形成方法は何ら限定するものではない。また、トイレ本体１への取り付け方は既存の手段で様々に考えられる為、その形態、構造、形成方法は何ら限定されない
【００４４】
　また、水洗トイレへのトイレ本体１の連結、及び、トイレ本体１への各種付属品の連結にフックや、ボルトとナットの他、締め付け具、Ｓ型金具、リング、レール、板バネ、磁石、吸着盤、ファスナーテープ等各種部材を使用することも可能であり、それらの部材及び形状は何ら限定するものではない。
【００４５】
　ここで言うペットとは、猫を初め、犬、兎、フェレット、猿等一般に家庭内等において放し飼いが可能な動物のことであるが、本発明が使用可能であるならば、その種類及び大きさは何ら限定するものではない。
【産業上の利用可能性】
【００４６】
１．ペット用トイレを予め水洗トイレに既設させることが可能になり、水洗トイレ製造時、或いは住宅建設時から人間と家族の一員であるコンパニオンアニマル共有の新しいトイレを提供することが可能となる。
２．ペット用トイレに採尿用具及び採便用具を着脱自在に形成することによって、ペットの健康管理がしやすくなるばかりでなく、ペット用品の販路が広がる。
【図面の簡単な説明】
【００４７】
【図１】後付け型トイレ本体を便器の上に載置している所を示す斜視図である。
【図２】後付け型トイレ本体の側部を俯仰している所を示す斜視図である。
【図３】（ａ）後付け型トイレ本体の側部回転軸とフック型挿通孔の便器への取り付け構造を示す斜視図である。　（ｂ）後付け型トイレ本体の前部挿通孔とフック型回転軸の便器への取り付け構造を示す斜視図である。　（ｃ）後付け型トイレ本体の側部回転軸と締め付け具型挿通孔の便器への取り付け構造を示す斜視図である。
【図４】一体型トイレ本体を便座の上に載置している所を示す斜視図である。
【図５】一体型トイレ本体の前部を俯仰している所を示す斜視図である。
【図６】（ａ）一体型トイレ本体の前部挿通孔と便座挿通孔の取り付け構造を示す斜視図である。　（ｂ）一体型トイレ本体の側部二分割型回転軸と便座挿通孔の取り付け構造を示す斜視図である。
【図７】通水板からなるトイレ本体を便器の上に載置している所を示す断面図である。
【図８】（ａ）平板からなるトイレ本体を示す斜視図である。　（ｂ）通水板からなるトイレ本体を示す斜視図である。　（ｃ）Ｖ型板からなるトイレ本体を示す斜視図である。
【図９】受け皿を取り付けているトイレ本体を示す斜視図である。
【図１０】（ａ）屋根カバーの取り付け構造を示す斜視図である。　（ｂ）切り欠き部の嵌合構造を示す斜視図である。
【図１１】爪研ぎ板を取り付けているトイレ本体を示す斜視図である。
【図１２】（ａ）止水板用採便板の取り付け構造を示す斜視図である。　（ｂ）通水板用採便板の取り付け構造を示す斜視図である。
【図１３】（ａ）内付け型採便容器及び採尿容器の取り付け構造を示す斜視図である。　（ｂ）内付け型採便容器を取り付けているトイレ本体を示す斜視図である。
【図１４】（ａ）下垂型採便容器及び採尿容器の取り付け構造を示す斜視図である。　（ｂ）下垂型採便容器を取り付けているトイレ本体を示す斜視図である。
【図１５】（ａ）上部設置型の採尿トレーの取り付け構造を示す斜視図である。　（ｂ）内付け型採尿容器と止水部の取り付け構造を示す斜視図である。
【図１６】（ａ）下部設置型の採尿トレーの取り付け構造を示す斜視図である。　（ｂ）下部設置型の小型採尿トレーの取り付け構造を示す斜視図である。
【図１７】Ｖ型通水板への採尿管とＶ型止水部の取り付け構造を示す斜視図である。
【図１８】（ａ）傾斜板へのキャップ型の水洗水誘導弁の取り付け構造を示す斜視図である。　（ｂ）便器側壁への半転型の水洗水誘導弁の取り付けている所を示す斜視図である。
【図１９】（ａ）両側及び前部に縁部を形成するトイレ本体を示す斜視図である。　（ｂ）（ａ）に水洗水導入口を形成するトイレ本体を示す斜視図である。　（ｃ）両側のみ縁部を形成するトイレ本体を示す斜視図である。
【符号の説明】
【００４８】
１　　　　トイレ本体
１ａ　　　傾斜板
１ｂ　　　通水穴
１ｃ　　　集水溝
１ｄ　　　側壁
１ｅ　　　縁部
１ｆ　　　排出口
１ｇ　　　水洗水導入弁用突出部 
１h　　　 水洗水導入弁
１ｉ　　　水洗水導入口
２　　　　受け皿
２ａ　　　縁置き部
２ｂ　　　側壁
２ｃ　　　回収部
３　　　　屋根カバー
３ａ　　　切り欠き部
３ｂ　　　嵌合部
４　　　　爪研ぎ板
５ａ　　　採便板
５ｂ　　　採便板用長穴
５ｃ　　　採便容器
５ｄ　　　突起
５ｆ　　　採便トレー回収部
６ａ　　　採尿容器
６ｂ　　　採尿管
６ｃ　　　採尿管用ネジ穴
６ｄ　　　中栓
６ｅ　　　螺合部
６ｆ　　　採尿トレー
６ｇ　　　止水部
６ｈ　　　注ぎ口
６ｉ　　　採尿管用嵌合穴
６ｊ　　　採尿トレー側壁
７ａ　　　フック
７ｂ　　　フック辺
７ｃ　　　フック辺用長穴
７ｄ　　　ヒール
７ｅ　　　穴
８　　　　ジョイント
８ａ　　　回転軸
８ｂ　　　二分割型回転軸
８ｃ　　　挿通孔
８ｄ　　　フック型挿通孔
８ｅ　　　フック型回転軸
８ｆ　　　ボルト
８ｇ　　　ナット
８ｈ　　　補助板
８ｉ　　　締め付け具型挿通孔
８ｊ　　　締め付け具
８ｋ　　　内輪
９　　　　便器
９ａ　　　便器側壁
９ｂ　　　蓋
９ｃ　　　便座
９ｄ　　　弾性体
９ｅ　　　支持部
９ｆ　　　排水槽
９ｇ　　　タンク
９ｈ　　　レバー
９ｉ　　　水道
９ｊ　　　排水管
９ｋ　　　ヘッド
【図１】
2004081223.tif 000003
【図２】
2004081223.tif 000004
【図３】
2004081223.tif 000005
【図４】
2004081223.tif 000006
【図５】
2004081223.tif 000007
【図６】
2004081223.tif 000008
【図７】
2004081223.tif 000009
【図８】
2004081223.tif 000010
【図９】
2004081223.tif 000011
【図１０】
2004081223.tif 000012
【図１１】
2004081223.tif 000013
【図１２】
2004081223.tif 000014
【図１３】
2004081223.tif 000015
【図１４】
2004081223.tif 000016
【図１５】
2004081223.tif 000017
【図１６】
2004081223.tif 000018
【図１７】
2004081223.tif 000019
【図１８】
2004081223.tif 000020
【図１９】
2004081223.tif 000021
【手続補正書】
【提出日】平成15年12月25日(2003.12.25)
【手続補正１】
【補正対象書類名】明細書
【補正対象項目名】００１５
【補正方法】変更
【補正の内容】
【００１５】
　また、図８では縁部１ｅが周囲全てに形成されているが、周囲の必要箇所に形成しても良く、図１９は縁部１ｅの相違による各種ペット用トイレを示すものである。図１９（ａ）は両側から前部にかけて、図１９（ｃ）は両側のみからなるトイレ本体１等、便器９の形状、便座９ｃ及び上置き操作盤等の形状別に形成することも可能である。図１９（ｂ）は図１９（ａ）に水洗水導入口１iを形成している。昨今の水洗トイレの多機能化に伴い、便器上に便座とともに大型の上置き操作盤が設けられているタイプのものでは、後部に縁部１ｅを形成するとトイレ本体１を便器の上に載置することができなくなる為、後部の縁部１ｅの幅を他部よりも狭くするか、図１９（ａ）に示すように後部を形成しない。同様に図１９（ｂ）示すように、前部にも縁部１ｅを形成しないことも可能である。図１９記載のトイレ本体１は、縁部１ｅの形状を示す例であって、その形成位置は限定されず、更に、その形成位置と傾斜板１ａの種類との各種組み合わせもまた限定されない。尚、図７は、通水板からなるトイレ本体１を水洗トイレの便器９の上に係止している所を示す断面図であり、図８（ａ）のＡ−Ａ’は、後述する図１２〜図１７のＡ−Ａ’断面を示すものである。
【手続補正２】
【補正対象書類名】明細書
【補正対象項目名】００３２
【補正方法】変更
【補正の内容】
【００３２】
　図１１に示すように、縁部１ｅの後部等に大きさや形を合わせて形成する爪研ぎ板４に、きつめのフック７ａ等を設けて縁部１ｅの外周側から内側へ或いは内周側から外側へ向かって嵌め込んだり、双方にネジ穴を空けてネジで螺合して縁部１ｅの上に平置する他、後部の縁部の中央部等に穴を空け、縁部の裏から支柱を挿通し、該支柱に中央部が貫通している円筒型等の爪研ぎポールを挿通し、上からネジで螺合したり、支柱の末端部及び爪研ぎポールの末端部に各々螺合部を形成して螺合したり、或いは、フック部や螺合部を増やすことで壁状の爪研ぎを形成することも可能であり、トイレ本体１への爪研ぎの組み込み方は、既存の手段で様々に考えられる為、その形態、構造、形成方法等は何ら限定するものではない。爪研ぎポールでは、円筒形の他六面体等に形成し、爪研ぎ面を９０度ずつずらして固定し直すだけで、外周部の四面全てが爪研ぎ可能であり、横板状の爪研ぎ板４では表だけでなく、裏も爪研ぎ可能に形成することもできる。いずれの場合もトイレ本体１を俯仰することによって外れないように固定するものとする。但し、図１９に示すように、後部に縁部１ｅを設けないトイレ本体１の場合は、縁部１ｅ前部や側部等に取り付ける他、縁部１ｅの側部両側にフック止めやネジ止めすることで、水洗トイレの上置き操作盤等に斜めに立て掛けることも可能である。